(57)【要約】  本発明の実施例は、データ伝送の方法、端末機器及びネットワーク機器に関する。この方法は、ネットワーク機器により送信された第１のダウンリンクデータパケットを受信するステップと、第１の予定値に基づき、第１のマッピング関係及び第２のマッピング関係のマッピング規則をそのままで保持し、このネットワーク機器により送信されたＲＲＣメッセージを受信するステップと、このＲＲＣメッセージに基づき、この第２のマッピング関係のマッピング規則をターゲットマッピング規則として決定するステップと、を含み、この第１のダウンリンクデータパケットには第１の予定値である第１のＲＱＩが含まれ、この第１のマッピング関係は、ＩＰフローからＱｏＳフローへのマッピング関係であり、この第２のマッピング関係は、ＱｏＳフローからＤＲＢへのマッピング関係であり、このＲＲＣメッセージにはターゲットマッピング規則が含まれる。本発明の実施例に係るデータ伝送の方法、端末機器及びネットワーク機器によれは、ＱｏＳマッピング関係を柔軟に構成することができる。
2021500771.tif 000002
【特許請求の範囲】
【請求項１】
ネットワーク機器により送信された第１のダウンリンクデータパケットを受信するステップと、
第１の予定値に基づき、第１のマッピング関係及び第２のマッピング関係のマッピング規則をそのままで保持し、前記ネットワーク機器により送信された無線リソース制御ＲＲＣメッセージを受信するステップと、
前記ＲＲＣメッセージに基づき、前記第２のマッピング関係のマッピング規則をターゲットマッピング規則として決定するステップと、を含み、
前記第１のダウンリンクデータパケットには第１のリフレクティブサービス品質識別子ＲＱＩが含まれ、前記第１のＲＱＩは前記第１の予定値であり、
前記第１のマッピング関係は、ネットワークプロトコルＩＰフローからサービス品質ＱｏＳフローへのマッピング関係であり、前記第２のマッピング関係は、ＱｏＳフローからデータ無線ベアラＤＲＢへのマッピング関係であり、前記ＲＲＣメッセージには前記ターゲットマッピング規則が含まれる
ことを特徴とするデータ伝送の方法。
【請求項２】
前記ネットワーク機器により送信された第１のＲＱＩを受信する前に、
前記ネットワーク機器により送信された第２のダウンリンクデータパケットを受信するステップと、
第２の予定値に基づき、前記第１のリフレクティブＱｏＳをアクティブ化して前記第１のマッピング関係を更新し、前記第２のリフレクティブＱｏＳをアクティブ化して前記第２のマッピング関係を更新するステップと、
前記ネットワーク機器に第２のアップリンクデータパケットを送信するステップと、をさらに含み、
前記第２のダウンリンクデータパケットには第２のＲＱＩが含まれ、前記第２のＲＱＩは前記第２の予定値であり、
前記第１のマッピング関係を更新することは、前記第２のダウンリンクデータパケットの前記第１のマッピング関係を前記第２のアップリンクデータパケットの前記第１のマッピング関係として決定することを含み、前記第２のマッピング関係を更新することは、前記第２のダウンリンクデータパケットの前記第２のマッピング関係を前記第２のアップリンクデータパケットの前記第２のマッピング関係として決定することを含み、
前記第１の予定値に基づき、第１のマッピング関係のマッピング規則及び第２のマッピング関係のマッピング規則をそのままで保持するステップは、
前記第１のリフレクティブＱｏＳのアクティブ状態を保持し、及び前記第２のリフレクティブＱｏＳのアクティブ状態を保持するステップを含む
ことを特徴とする請求項１に記載の方法。
【請求項３】
前記ＲＲＣメッセージに基づき、前記第２のマッピング関係のマッピング規則を前記ターゲットマッピング規則として決定した後、
前記第１のリフレクティブＱｏＳに基づき、前記第１のダウンリンクデータパケットの前記第１のマッピング関係を第１のアップリンクデータパケットの前記第１のマッピング関係として決定し、前記ターゲットマッピング規則に従って前記第１のアップリンクデータパケットの前記第２のマッピング関係を決定し、前記ネットワーク機器に前記第１のアップリンクデータパケットを送信するステップをさらに含む
ことを特徴とする請求項２に記載の方法。
【請求項４】
前記ターゲットマッピング規則は、更新後の前記第２のマッピング関係のマッピング規則と一致する
ことを特徴とする請求項２又は３に記載の方法。
【請求項５】
端末機器に第２のダウンリンクデータパケットを送信するステップと、
前記端末機器により送信された第２のアップリンクデータパケットを受信するステップと、
前記第２のアップリンクデータパケットの第１のマッピング関係が正しいと決定した後、前記端末機器に第１のダウンリンクデータパケット及び無線リソース制御ＲＲＣメッセージを送信するステップと、を含み、
前記第２のダウンリンクデータパケットには第２のリフレクティブサービス品質識別子ＲＱＩが含まれ、前記第２のＲＱＩは第２の予定値であり、前記第２の予定値は、前記端末機器を指示して第１のリフレクティブサービス品質ＱｏＳをアクティブ化して第１のマッピング関係を更新し、及び第２のリフレクティブＱｏＳをアクティブ化して第２のマッピング関係を更新するために使用され、前記第１のマッピング関係は、ネットワークプロトコルＩＰフローからＱｏＳフローへのマッピング関係であり、前記第２のマッピング関係は、ＱｏＳフローからデータ無線ベアラＤＲＢへのマッピング関係であり、前記第１のマッピング関係を更新することは、前記第２のダウンリンクデータパケットの前記第１のマッピング関係を第２のアップリンクデータパケットの前記第１のマッピング関係として決定することを含み、前記第２のマッピング関係を更新することは、前記第２のダウンリンクデータパケットの前記第２のマッピング関係を前記第２のアップリンクデータパケットの前記第２のマッピング関係として決定することを含み、
前記第１のダウンリンクデータパケットには第１のＲＱＩが含まれ、前記第１のＲＱＩは第１の予定値であり、前記第１の予定値は、前記端末機器を指示して前記第１のリフレクティブＱｏＳのアクティブ状態を保持するために使用され、前記ＲＲＣメッセージにはターゲットマッピング規則が含まれ、前記ＲＲＣメッセージは、前記端末機器を指示して第２のマッピング関係のマッピング規則を前記ターゲットマッピング規則として決定するために使用される
ことを特徴とするデータ伝送の方法。
【請求項６】
前記端末機器に第１のダウンリンクデータパケット及び無線リソース制御ＲＲＣメッセージを送信した後、
前記端末機器により送信された第１のアップリンクデータパケットを受信するステップをさらに含み、
前記第１のアップリンクデータパケットの前記第１のマッピング関係は、前記第１のリフレクティブＱｏＳに基づいて前記端末機器により決定されたものであり、前記第１のアップリンクデータパケットの前記第２のマッピング関係は、前記ターゲット規則に基づいて前記端末機器により決定されたものである
ことを特徴とする請求項５に記載の方法。
【請求項７】
前記ターゲットマッピング規則は、更新後の前記第２のマッピング関係のマッピング規則と一致する
ことを特徴とする請求項５又は６に記載の方法。
【請求項８】
ネットワーク機器により送信された第１のダウンリンクデータパケットを受信するために使用される受信ユニットと、
第１の予定値に基づき、第１のマッピング関係及び第２のマッピング関係のマッピング規則をそのままで保持し、前記ネットワーク機器により送信された無線リソース制御ＲＲＣメッセージを前記受信ユニットを介して受信するために使用される決定ユニットと、を備え、
前記第１のダウンリンクデータパケットには第１のリフレクティブサービス品質識別子ＲＱＩが含まれ、前記第１のＲＱＩは前記第１の予定値であり、
前記第１のマッピング関係は、ネットワークプロトコルＩＰフローからサービス品質ＱｏＳフローへのマッピング関係であり、前記第２のマッピング関係は、ＱｏＳフローからデータ無線ベアラＤＲＢへのマッピング関係であり、前記ＲＲＣメッセージにはターゲットマッピング規則が含まれ、
前記決定ユニットはまた、前記ＲＲＣメッセージに基づき、前記第２のマッピング関係のマッピング規則を前記ターゲットマッピング規則として決定するために使用される
ことを特徴とする端末機器。
【請求項９】
前記受信ユニットは具体的に、
前記ネットワーク機器により送信された第１のＲＱＩを受信する前に、前記ネットワーク機器により送信された第２のダウンリンクデータパケットを受信するために使用され、
前記第２のダウンリンクデータパケットには第２のＲＱＩが含まれ、前記第２のＲＱＩは第２の予定値であり、
前記決定ユニットは具体的に、
前記第２の予定値に基づき、前記第１のリフレクティブＱｏＳをアクティブ化して前記第１のマッピング関係を更新し、前記第２のリフレクティブＱｏＳをアクティブ化して前記第２のマッピング関係を更新するために使用され、
前記第１のマッピング関係を更新することは、前記第２のダウンリンクデータパケットの前記第１のマッピング関係を第２のアップリンクデータパケットの前記第１のマッピング関係として決定することを含み、前記第２のマッピング関係を更新することは、前記第２のダウンリンクデータパケットの前記第２のマッピング関係を前記第２のアップリンクデータパケットの前記第２のマッピング関係として決定することを含み、
前記ネットワーク機器に前記第２のアップリンクデータパケットを送信するために使用される送信ユニットをさらに備え、
前記決定ユニットは具体的に、
前記第１のリフレクティブＱｏＳのアクティブ状態を保持し、及び前記第２のリフレクティブＱｏＳのアクティブ状態を保持するために使用される
ことを特徴とする請求項８に記載の端末機器。
【請求項１０】
前記決定ユニットは具体的に、
前記ＲＲＣメッセージに基づき、前記第２のマッピング関係のマッピング規則を前記ターゲットマッピング規則として決定した後、前記第１のリフレクティブＱｏＳに基づき、前記第１のダウンリンクデータパケットの前記第１のマッピング関係を第１のアップリンクデータパケットの前記第１のマッピング関係として決定し、前記ターゲットマッピング規則に従って前記第１のアップリンクデータパケットの前記第２のマッピング関係を決定するために使用され、
前記送信ユニットは具体的に、
前記ネットワーク機器に前記第１のアップリンクデータパケットを送信するために使用される
ことを特徴とする請求項９に記載の端末機器。
【請求項１１】
前記ターゲットマッピング規則は、更新後の前記第２のマッピング関係のマッピング規則と一致する
ことを特徴とする請求項９又は１０に記載の端末機器。
【請求項１２】
端末機器に第２のダウンリンクデータパケットを送信するために使用される送信ユニットと、
前記端末機器により送信された第２のアップリンクデータパケットを受信するために使用される受信ユニットと、
前記第２のアップリンクデータパケットの第１のマッピング関係が正しいと決定した後、前記端末機器に第１のダウンリンクデータパケット及び無線リソース制御ＲＲＣメッセージを送信するために使用される決定ユニットと、を備え、
前記第２のダウンリンクデータパケットには第２のリフレクティブサービス品質識別子ＲＱＩが含まれ、前記第２のＲＱＩは第２の予定値であり、前記第２の予定値は、前記端末機器を指示して第１のリフレクティブＱｏＳをアクティブ化して第１のマッピング関係を更新し、及び第２のリフレクティブＱｏＳをアクティブ化して第２のマッピング関係を更新するために使用され、前記第１のマッピング関係は、ネットワークプロトコルＩＰフローからＱｏＳフローへのマッピング関係であり、前記第２のマッピング関係は、ＱｏＳフローからデータ無線ベアラＤＲＢへのマッピング関係であり、前記第１のマッピング関係を更新することは、前記第２のダウンリンクデータパケットの前記第１のマッピング関係を第２のアップリンクデータパケットの前記第１のマッピング関係として決定することを含み、前記第２のマッピング関係を更新することは、前記第２のダウンリンクデータパケットの前記第２のマッピング関係を前記第２のアップリンクデータパケットの前記第２のマッピング関係として決定することを含み、
前記第１のダウンリンクデータパケットには第１のＲＱＩが含まれ、前記第１のＲＱＩは第１の予定値であり、前記第１の予定値は、前記端末機器を指示して前記第１のリフレクティブＱｏＳのアクティブ状態を保持するために使用され、前記ＲＲＣメッセージにはターゲットマッピング規則が含まれ、前記ＲＲＣメッセージは、前記端末機器を指示して第２のマッピング関係のマッピング規則を前記ターゲットマッピング規則として決定するために使用される
ことを特徴とするネットワーク機器。
【請求項１３】
前記受信ユニットは具体的に、
前記送信ユニットにより前記端末機器に第１のダウンリンクデータパケット及び無線リソース制御ＲＲＣメッセージを送信した後、前記端末機器により送信された第１のアップリンクデータパケットを受信するために使用され、
前記第１のアップリンクデータパケットの前記第１のマッピング関係は、前記第１のリフレクティブＱｏＳに基づいて前記端末機器により決定されたものであり、前記第１のアップリンクデータパケットの前記第２のマッピング関係は、前記ターゲット規則に基づいて前記端末機器により決定されたものである
ことを特徴とする請求項１２に記載のネットワーク機器。
【請求項１４】
前記ターゲットマッピング規則は、更新後の前記第２のマッピング関係のマッピング規則と一致する
ことを特徴とする請求項１２又は１３に記載のネットワーク機器。
【発明の詳細な説明】
【技術分野】
【０００１】
本発明は、通信分野に関し、特にデータ伝送の方法、端末機器及びネットワーク機器に関する。
【背景技術】
【０００２】
第５世代（５ｔｈ  ｇｅｎｅｒａｔｉｏｎ，５Ｇ）システムの新しい無線（ｎｅｗ  ｒａｄｉｏ，ＮＲ）サービス品質（ｑｕａｌｉｔｙ  ｏｆ  ｓｅｒｖｉｃｅ，ＱｏＳ）マッピング関係には、非アクセス層（ｎｏｎ−ａｃｃｅｓｓ  ｓｔｒａｔｕｍ，ＮＡＳ）マッピング（ｍａｐｐｉｎｇ）及びアクセス層（ａｃｃｅｓｓ  ｓｔｒａｔｕｍ，ＡＳ）ｍａｐｐｉｎｇの２つの部分が含まれることができ、ここで、ＮＡＳ  ｍａｐｐｉｎｇは、ネットワークプロトコル（ｉｎｔｅｒｎｅｔ  ｐｒｏｔｏｃｏｌ，ＩＰ）フロー（ｆｌｏｗ）からＱｏＳ  ｆｌｏｗにマッピングされることを示すことができ、ＡＳ  ｍａｐｐｉｎｇは、ＱｏＳ  ｆｌｏｗからデータ無線ベアラ（ｄａｔａ  ｒａｄｉｏ  ｂｅａｒｅｒ，ＤＲＢ）にマッピングされることを示すことができる。
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）では、１ビット（ｂｉｔ）のリフレクティブサービス品質識別子（ｒｅｆｌｅｃｔｉｖｅ  ＱｏＳ  ｉｎｄｉｃａｔｉｏｎ，ＲＱＩ）を介してＮＡＳリフレクティブ（ｒｅｆｌｅｃｔｉｖｅ）ＱｏＳ及びＡＳ  ｒｅｆｌｅｃｔｉｖｅ  ＱｏＳのアクティブ化及び非アクティブ化を指示することができることが規定されており、つまり、端末機器（ｕｓｅｒ  ｅｘｐｅｒｉｅｎｃｅ，ＵＥ）がサービスデータプロトコル（ｓｅｒｖｉｃｅ  ｄａｔａ  ａｄａｐｔａｔｉｏｎ  ｐｒｏｔｏｃｏｌ，ＳＤＡＰ）データパケットヘッダー内のＲＱＩが「１」だと受信した場合、ＵＥは、ＮＡＳ  ｒｅｆｌｅｃｔｉｖｅ  ＱｏＳ及びＡＳ  ｒｅｆｌｅｃｔｉｖｅ  ＱｏＳのマッピング規則（ｍａｐｐｉｎｇ  ｒｕｌｅ）の状態を同時に検出及び更新し、ＮＡＳ  ｒｅｆｌｅｃｔｉｖｅ  ＱｏＳ及びＡＳ  ｒｅｆｌｅｃｔｉｖｅ  ＱｏＳをアクティブ化する必要がある。
【０００４】
しかし、ＮＡＳ  ｒｅｆｌｅｃｔｉｖｅ  ＱｏＳ及びＡＳ  ｒｅｆｌｅｃｔｉｖｅ  ＱｏＳは相対的に独立しており、つまり、一方がアクティブ状態にあって、もう一方が非アクティブ状態にある可能性が高く、この場合、ＵＥは、このＲＱＩに基づいてＮＡＳ  ｒｅｆｌｅｃｔｉｖｅ  ＱｏＳ及びＡＳ  ｒｅｆｌｅｃｔｉｖｅ  ＱｏＳのマッピング関係を如何に更新するかを決定することができない。
【発明の概要】
【発明が解決しようとする課題】
【０００５】
本発明は、ＱｏＳマッピング関係を柔軟に構成することができるデータ伝送の方法、端末機器及びネットワーク機器を提供する。
【課題を解決するための手段】
【０００６】
第１の態様によれば、データ伝送の方法が提供され、この方法は、ネットワーク機器により送信された第１のダウンリンクデータパケットを受信するステップと、第１の予定値に基づき、第１のマッピング関係及び第２のマッピング関係のマッピング規則をそのままで保持し、このネットワーク機器により送信された無線リソース制御（ｒａｄｉｏ  ｒｅｓｏｕｒｃｅ  ｃｏｎｔｒｏｌ，ＲＲＣ）メッセージを受信するステップと、このＲＲＣメッセージに基づき、この第２のマッピング関係のマッピング規則をターゲットマッピング規則として決定するステップと、を含み、この第１のダウンリンクデータパケットには第１のＲＱＩが含まれ、この第１のＲＱＩは第１の予定値であり、この第１のマッピング関係は、ＩＰフローからＱｏＳフローへのマッピング関係であり、この第２のマッピング関係は、ＱｏＳフローからＤＲＢへのマッピング関係であり、このＲＲＣメッセージにはターゲットマッピング規則が含まれる。
【０００７】
したがって、本発明の実施例に係るデータ伝送の方法では、端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【０００８】
第１の態様に関連して、第１の態様の一実現形態では、このネットワーク機器により送信された第１のＲＱＩを受信する前に、この方法は、このネットワーク機器により送信された第２のダウンリンクデータパケットを受信するステップと、第２の予定値に基づき、この第１のリフレクティブＱｏＳをアクティブ化してこの第１のマッピング関係を更新し、この第２のリフレクティブＱｏＳをアクティブ化してこの第２のマッピング関係を更新するステップと、このネットワーク機器に第２のアップリンクデータパケットを送信するステップと、をさらに含み、この第２のダウンリンクデータパケットには第２のＲＱＩが含まれ、この第２のＲＱＩは第２の予定値であり、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、この第１の予定値に基づき、第１のマッピング関係のマッピング規則及び第２のマッピング関係のマッピング規則をそのままで保持するステップは、この第１のリフレクティブＱｏＳのアクティブ状態を保持し、及びこの第２のリフレクティブＱｏＳのアクティブ状態を保持するステップを含む。
【０００９】
第１の態様及びその上記の実現形態に関連して、第１の態様の別の実現形態では、このＲＲＣメッセージに基づき、この第２のマッピング関係のマッピング規則をこのターゲットマッピング規則として決定した後、この方法は、この第１のリフレクティブＱｏＳに基づき、この第１のダウンリンクデータパケットのこの第１のマッピング関係を第１のアップリンクデータパケットのこの第１のマッピング関係として決定し、このターゲットマッピング規則に従ってこの第１のアップリンクデータパケットのこの第２のマッピング関係を決定し、このネットワーク機器にこの第１のアップリンクデータパケットを送信するステップをさらに含む。
【００１０】
第１の態様及びその上記の実現形態に関連して、第１の態様の別の実現形態では、このターゲットマッピング規則は、更新後のこの第２のマッピング関係のマッピング規則と一致する。
【００１１】
したがって、本発明の実施例に係るデータ伝送の方法では、端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００１２】
第２の態様によれば、データ伝送の方法が提供され、この方法は、端末機器に第２のダウンリンクデータパケットを送信するステップと、この端末機器により送信された第２のアップリンクデータパケットを受信するステップと、この第２のアップリンクデータパケットの第１のマッピング関係が正しいと決定した後、この端末機器に第１のダウンリンクデータパケット及びＲＲＣメッセージを送信するステップと、を含み、この第２のダウンリンクデータパケットには第２のＲＱＩが含まれ、この第２のＲＱＩは第２の予定値であり、この第２の予定値は、この端末機器を指示して第１のリフレクティブＱｏＳをアクティブ化して第１のマッピング関係を更新し、及び第２のリフレクティブＱｏＳをアクティブ化して第２のマッピング関係を更新するために使用され、この第１のマッピング関係は、ＩＰフローからＱｏＳフローへのマッピング関係であり、この第２のマッピング関係は、ＱｏＳフローからＤＲＢへのマッピング関係であり、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、この第１のダウンリンクデータパケットには第１のＲＱＩが含まれ、この第１のＲＱＩは第１の予定値であり、この第１の予定値は、この端末機器を指示してこの第１のリフレクティブＱｏＳのアクティブ状態を保持するために使用され、このＲＲＣメッセージにはターゲットマッピング規則が含まれ、このＲＲＣメッセージは、この端末機器を指示して第２のマッピング関係のマッピング規則をこのターゲットマッピング規則として決定するために使用される。
【００１３】
したがって、本発明の実施例に係るデータ伝送の方法では、ネットワーク機器により端末機器に送信されるＲＱＩ及びＲＲＣメッセージは、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００１４】
第２の態様に関連して、第２の態様の一実現形態では、この端末機器に第１のダウンリンクデータパケット及びＲＲＣメッセージを送信した後、この方法は、この端末機器により送信された第１のアップリンクデータパケットを受信するステップをさらに含み、この第１のアップリンクデータパケットのこの第１のマッピング関係は、この第１のリフレクティブＱｏＳに基づいてこの端末機器により決定されたものであり、この第１のアップリンクデータパケットのこの第２のマッピング関係は、このターゲット規則に基づいてこの端末機器により決定されたものである。
【００１５】
第２の態様及びその上記の実現形態に関連して、第２の態様の別の実現形態では、このターゲットマッピング規則は、更新後のこの第２のマッピング関係のマッピング規則と一致する。
【００１６】
したがって、本発明の実施例に係るデータ伝送の方法は、ネットワーク機器により端末機器に送信されるＲＱＩ及びＲＲＣメッセージは、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００１７】
第３の態様によれば、上記の第１の態様又は第１の態様の任意の可能な実現形態に係る方法を実行するための端末機器が提供される。具体的に、この端末機器は、上記の第１の態様又は第１の態様の任意の可能な実現形態に係る方法を実行するためのユニットを備える。
【００１８】
第４の態様によれば、上記の第２の態様又は第２の態様の任意の可能な実現形態に係る方法を実行するためのネットワーク機器が提供される。具体的に、このネットワーク機器は、上記の第２の態様又は第２の態様の任意の可能な実現形態に係る方法を実行するためのユニットを備える。
【００１９】
第５の態様によれば、記憶ユニット及びプロセッサーを備える端末機器が提供され、この記憶ユニットは、命令を記憶するために使用され、このプロセッサーは、このメモリに記憶された命令を実行するために使用され、このプロセッサーによりこのメモリに記憶された命令を実行するとき、この実行により、このプロセッサーが第１の態様又は第１の態様の任意の可能な実現形態に係る方法を実行する。
【００２０】
第６の態様によれば、記憶ユニット及びプロセッサーを備えるネットワーク機器が提供され、この記憶ユニットは、命令を記憶するために使用され、このプロセッサーは、このメモリに記憶された命令を実行するために使用され、このプロセッサーによりこのメモリに記憶された命令を実行するとき、この実行により、このプロセッサーが第２の態様又は第２の態様の任意の可能な実現形態に係る方法を実行する。
【００２１】
第７の態様によれば、コンピュータプログラムを記憶するためのコンピュータ可読媒体が提供され、このコンピュータプログラムには、第１の態様又は第１の態様の任意の可能な実現形態に係る方法を実行するための命令が含まれる。
【００２２】
第８の態様によれば、コンピュータプログラムを記憶するためのコンピュータ可読媒体が提供され、このコンピュータプログラムには、第２の態様又は第２の態様の任意の可能な実現形態に係る方法を実行するための命令が含まれる。
【００２３】
第９の態様によれば、命令を含むコンピュータプログラム製品が提供され、コンピュータにより前記コンピュータプログラム製品の前記命令を実行するとき、前記コンピュータは、上記の第１の態様又は第１の態様の任意の可能な実現形態に係るデータ伝送の方法を実行する。具体的に、このコンピュータプログラム製品は、上記の第３の態様の端末機器で実行されることができる。
【００２４】
第１０の態様によれば、命令を含むコンピュータプログラム製品が提供され、コンピュータにより前記コンピュータプログラム製品の前記命令を実行するとき、前記コンピュータは、上記の第２の態様又は第２の態様の任意の可能な実現形態に係るデータ伝送の方法を実行する。具体的に、このコンピュータプログラム製品は、上記の第４の態様のネットワーク機器で実行されることができる。
【図面の簡単な説明】
【００２５】
【図１】本発明の実施例に係るデータ伝送の方法の概略フローチャートである。
【図２】本発明の実施例に係るデータ伝送の方法の別の概略フローチャートである。
【図３】本発明の実施例に係る端末機器の概略ブロック図である。
【図４】本発明の実施例に係るネットワーク機器の概略ブロック図である。
【図５】本発明の実施例に係る端末機器の別の概略ブロック図である。
【図６】本発明の実施例に係るネットワーク機器の別の概略ブロック図である。
【発明を実施するための形態】
【００２６】
以下、図面を参照しながら、本発明の実施例における技術手段を説明する。
【００２７】
本発明の実施例に係る技術手段は、グローバルモバイル通信（ｇｌｏｂａｌ  ｓｙｓｔｅｍ  ｏｆ  ｍｏｂｉｌｅ  ｃｏｍｍｕｎｉｃａｔｉｏｎ，ＧＳＭＣ）システム、符号分割多元接続（ｃｏｄｅ  ｄｉｖｉｓｉｏｎ  ｍｕｌｔｉｐｌｅ  ａｃｃｅｓｓ，ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ）システム、汎用パケット無線サービス（ｇｅｎｅｒａｌ  ｐａｃｋｅｔ  ｒａｄｉｏ  ｓｅｒｖｉｃｅ，ＧＰＲＳ）、ロングタームエボリューション（ｌｏｎｇ  ｔｅｒｍ  ｅｖｏｌｕｔｉｏｎ，ＬＴＥ）システム、ＬＴＥ周波数分割複信（ｆｒｅｑｕｅｎｃｙ  ｄｉｖｉｓｉｏｎ  ｄｕｐｌｅｘ，ＦＤＤ）システム、ＬＴＥ時間分割複信（Ｔｉｍｅ  Ｄｉｖｉｓｉｏｎ  Ｄｕｐｌｅｘ，ＴＤＤ）、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、グローバル相互接続マイクロ波アクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）通信システム、未来の５Ｇシステム又はＮＲ等のような様々な通信システムに適用されることを理解されたい。
【００２８】
本発明の実施例における端末機器は、ユーザ機器、アクセス端末、ユーザユニット、ユーザ局、移動局、モバイルステーション、遠隔局、遠隔端末、モバイル機器、ユーザ端末、端末、無線通信機器、ユーザエージェント又はユーザ装置を指してもよい。端末機器はまた、携帯電話、コードレス電話、セッション確立プロトコル（ｓｅｓｓｉｏｎ  ｉｎｉｔｉａｔｉｏｎ  ｐｒｏｔｏｃｏｌ，ＳＩＰ）電話、ワイヤレスローカルループ（ｗｉｒｅｌｅｓｓ  ｌｏｃａｌ  ｌｏｏｐ，ＷＬＬ）局、携帯情報端末（ｐｅｒｓｏｎａｌ  ｄｉｇｉｔａｌ  ａｓｓｉｓｔａｎｔ，ＰＤＡ）、無線通信機能のあるハンドヘルド機器、計算機器又は無線モデムに接続する他の処理機器、車載機器、ウェアラブル機器、未来５Ｇネットワークにおける端末機器又は未来進化の公衆陸上移動体ネットワーク（ｐｕｂｌｉｃ  ｌａｎｄ  ｍｏｂｉｌｅ  ｎｅｔｗｏｒｋ，ＰＬＭＮ）における端末機器等であってもよく、本発明の実施例は、これについて限定をしない。
【００２９】
本発明の実施例におけるネットワーク機器は、端末機器と通信するための機器であってもよく、このネットワーク機器は、ＧＳＭＣシステム又はＣＤＭＡにおける基地局（ｂａｓｅ  ｔｒａｎｓｃｅｉｖｅｒ  ｓｔａｔｉｏｎ，ＢＴＳ）であってもよいし、ＷＣＤＭＡシステムにおける基地局（ＮｏｄｅＢ，ＮＢ）であってもよいし、ＬＴＥシステムにおける進化型基地局（ｅｖｏｌｕｔｉｏｎａｌ  Ｎｏｄｅ  Ｂ，ｅＮＢ又はｅＮｏｄｅＢ）であってもよいし、クラウド無線アクセスネットワーク（ｃｌｏｕｄ  ｒａｄｉｏ  ａｃｃｅｓｓ  ｎｅｔｗｏｒｋ，ＣＲＡＮ）シーンでのワイヤレスコントローラーであってもよく、又はこのネットワーク機器は、中継局、アクセスポイント、車載機器、ウェアラブル機器及び未来５Ｇネットワークにおけるネットワーク機器又は未来進化のＰＬＭＮネットワークにおけるネットワーク機器等であってもよく、本発明の実施例は、限定をしない。
【００３０】
図１は、本発明の実施例に係るデータ伝送の方法１００の概略フローチャートを示し、この方法１００は、端末機器により実行されることができる。図１に示すように、この方法１００は、ネットワーク機器により送信された第１のダウンリンクデータパケットを受信するＳ１１０と、第１の予定値に基づき、第１のマッピング関係及び第２のマッピング関係のマッピング規則をそのままで保持し、このネットワーク機器により送信されたＲＲＣメッセージを受信するＳ１２０と、このＲＲＣメッセージに基づき、この第２のマッピング関係のマッピング規則をターゲットマッピング規則として決定するＳ１３０と、を含み、この第１のダウンリンクデータパケットには第１のＲＱＩが含まれ、この第１のＲＱＩは第１の予定値であり、この第１のマッピング関係は、ＩＰフローからＱｏＳフローへのマッピング関係であり、この第２のマッピング関係は、ＱｏＳフローからＤＲＢへのマッピング関係であり、このＲＲＣメッセージにはターゲットマッピング規則が含まれる。
【００３１】
具体的に、端末機器は、ネットワーク機器により送信された第１のダウンリンクデータパケットを受信し、この第１のダウンリンクデータパケットに含まれる第１のＲＱＩは第１の予定値であり、例えば、この第１のＲＱＩは１ｂｉｔを占有することができ、この第１の予定値が「０」である場合、端末機器は、第１のマッピング関係及び第２のマッピング関係の更新を実行せず、つまり、現在この第１のマッピング関係及び第２のマッピング関係が従うマッピング規則を変更しない。
【００３２】
この第１のマッピング関係はＮＡＳ  ｍａｐｐｉｎｇであってもよく、即ち、この第１のマッピング関係は、ＩＰ  ｆｌｏｗがＱｏＳ  ｆｌｏｗにマッピングされることを示すことができ、この第２のマッピング関係はＡＳ  ｍａｐｐｉｎｇであってもよく、即ち、この第２のマッピング関係は、ＱｏＳ  ｆｌｏｗがＤＲＢにマッピングされることを示すことができることを理解されたい。具体的に、この第１のマッピング関係は、ＩＰ  ｆｌｏｗがＱｏＳ  ｆｌｏｗにマッピングされることを示し、任意のデータパケットの第１のマッピング関係について、第１のマッピング関係が満たすマッピング規則に従って、このデータパケット内の各ＩＰ  ｆｌｏｗと各ＱｏＳ  ｆｌｏｗとの具体的な対応関係を決定することができ、同様に、このデータパケットの第２のマッピング関係が満たすマッピング規則に従って、このデータパケット内の各ＱｏＳ  ｆｌｏｗと各ＤＲＢとの具体的な対応関係を決定することもできる。
【００３３】
具体的に、この第１のマッピング関係及び第２のマッピング関係は、一定のマッピング規則に従ってマッピングすることができ、例えば、第１のマッピング関係及び第２のマッピング関係は、リフレクティブ（ｒｅｆｌｅｃｔｉｖｅ）ＱｏＳに従ってダウンリンクデータパケットの第１のマッピング関係及び第２のマッピング関係を決定してもよく、このダウンリンクデータパケットの第１のマッピング関係及び第２のマッピング関係をそれぞれアップリンクデータパケットの第１のマッピング関係及び第２のマッピング関係として決定する。選択的に、第１のマッピング関係及び／又は第２のマッピング関係がｒｅｆｌｅｃｔｉｖｅ  ＱｏＳに従う場合、第１のｒｅｆｌｅｃｔｉｖｅ  ＱｏＳがアクティブ状態にあり、及び／又は、第２のｒｅｆｌｅｃｔｉｖｅ  ＱｏＳがアクティブ状態にあり、そうでない場合、第１のｒｅｆｌｅｃｔｉｖｅ  ＱｏＳ及び第２のｒｅｆｌｅｃｔｉｖｅ  ＱｏＳは非アクティブ状態に属する。
【００３４】
選択的に、第１のＲＱＩが第１の予定値である場合、端末機器は、第１のマッピング関係及び第２のマッピング関係を更新せず、つまり、第１のマッピング関係及び第２のマッピング関係の現在のマッピング規則をそのままで保持し、この端末機器の第１のｒｅｆｌｅｃｔｉｖｅ  ＱｏＳ及び第２のｒｅｆｌｅｃｔｉｖｅ  ＱｏＳの両方が非アクティブ状態にある。
【００３５】
本発明の実施例では、端末機器は、第１のＲＱＩを第１の予定値として決定し、第１のマッピング関係及び第２のマッピング関係を更新せずに保持した後、ネットワーク機器により送信されたＲＲＣメッセージをさらに受信し、このＲＲＣメッセージにはターゲットマッピング規則が含まれ、端末機器は、このＲＲＣメッセージ内のターゲットマッピング規則に基づき、第２のマッピング関係を更新する。
【００３６】
選択的に、一実施例として、方法１００のＳ１１０におけるネットワーク機器により送信された第１のダウンリンクデータパケットを受信する前に、この方法１００は、端末機器がネットワーク機器により送信された第２のダウンリンクデータパケットを受信するステップをさらに含んでもよく、この第２のダウンリンクデータパケットには第２のＲＱＩが含まれ、この第２のＲＱＩは第２の予定値であり、例えば、この第２のＲＱＩはｌｂｉｔを占有することができ、この第２の予定値は「１」であってもよく、この場合、端末機器は、第１のｒｅｆｌｅｃｔｉｖｅ  ＱｏＳ及び第２のｒｅｆｌｅｃｔｉｖｅ  ＱｏＳをアクティブ化して第１のマッピング関係及び第２のマッピング関係の更新を実行する。
【００３７】
そして、端末機器は、この更新後の第１のマッピング関係及び第２のマッピング関係に基づき、第２のアップリンクデータパケットを決定する。具体的に、この第１のｒｅｆｌｅｃｔｉｖｅ  ＱｏＳアクティブ状態及び第２のｒｅｆｌｅｃｔｉｖｅ  ＱｏＳアクティブ状態に基づき、端末機器は、この第２のダウンリンクデータパケットの第１のマッピング関係及び第２のマッピング関係を決定し、第１のｒｅｆｌｅｃｔｉｖｅ  ＱｏＳをアクティブ化し、この第２のダウンリンクデータパケットの第１のマッピング関係をこの第２のアップリンクデータパケットの第１のマッピング関係として決定し、第１のｒｅｆｌｅｃｔｉｖｅ  ＱｏＳをアクティブ化し、第２のダウンリンクデータパケットの第２のマッピング関係をこの第２のアップリンクデータパケットの第２のマッピング関係として決定してから、ネットワーク機器にこの第２のアップリンクデータパケットを送信する。
【００３８】
ネットワーク機器は、この第２のアップリンクデータパケットを受信し、この第２のアップリンクデータパケットが正しいＱｏＳ  ｆｌｏｗにマッピングされることができ、つまり、この第２のアップリンクデータパケットのＩＰ  ｆｌｏｗからＱｏＳ  ｆｌｏｗへの第１のマッピング関係が正しいと決定した場合、端末機器に第１のダウンリンクデータパケットを送信することができ、この第１のダウンリンクデータパケットに含まれる第１のＲＱＩは第１の予定値であり、この第１のＲＱＩを介して端末機器を指示して第１のマッピング関係のマッピング規則をそのままで保持する。
【００３９】
選択的に、ネットワーク機器により受信される第２のアップリンクデータパケットの第２のマッピング関係について、この第２のマッピング関係も正しい場合、このネットワーク機器が端末機器に送信するＲＲＣメッセージには第２のマッピング関係のターゲットマッピング規則が含まれ、端末機器は、このＲＲＣメッセージ内のターゲットマッピング規則に従って、第２のマッピング関係を更新することができ、この更新後の第２のマッピング関係が依然として、第２のＲＱＩに基づいてｒｅｆｌｅｃｔｉｖｅ  ＱｏＳをアクティブ化し、第２のマッピング関係を更新して得られた第２のマッピング関係と一致することを保証し、この第２のマッピング関係が正しくない場合、ネットワーク機器は、正しいマッピング規則を決定することができ、このネットワーク機器は、端末機器にＲＲＣメッセージを送信することができ、端末機器がこのＲＲＣメッセージに基づき、この第２のマッピング関係のマッピング規則を正しいマッピング規則に更新するように、このＲＲＣメッセージに含まれる第２のマッピング関係のターゲットマッピング規則は、この正しいマッピング規則であってもよい。
【００４０】
選択的に、一実施例として、端末機器は、第１のダウンリンクデータパケット内の第１のＲＱＩ及びＲＲＣメッセージに基づき、第１のマッピング関係及び第２のマッピング関係のマッピング規則を決定した後、このマッピング規則に基づき、第１のアップリンクデータの第１のマッピング関係及び第２のマッピング関係を決定し、ネットワーク機器にこの第１のアップリンクデータを送信することができる。
【００４１】
したがって、本発明の実施例に係るデータ伝送の方法では、端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００４２】
以上、図１を参照して、本発明の実施例に係るデータ伝送の方法を端末機器の観点から詳細に説明しており、以下では、図２を参照しながら、本発明の実施例に係るデータ伝送の方法をネットワーク機器の観点から説明する。
【００４３】
図２は、本発明の実施例に係るデータ伝送の方法２００の概略フローチャートを示し、この方法２００は、ネットワーク機器により実行されることができる。図２に示すように、この方法２００は、端末機器に第２のダウンリンクデータパケットを送信するＳ２１０を含み、この第２のダウンリンクデータパケットには第２のＲＱＩが含まれ、この第２のＲＱＩは第２の予定値であり、この第２の予定値は、この端末機器を指示して第１のリフレクティブＱｏＳをアクティブ化して第１のマッピング関係を更新し、及び第２のリフレクティブＱｏＳをアクティブ化して第２のマッピング関係を更新するために使用され、この第１のマッピング関係は、ＩＰフローからＱｏＳフローへのマッピング関係であり、この第２のマッピング関係は、ＱｏＳフローからＤＲＢへのマッピング関係であり、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含む。
【００４４】
図２に示すように、この方法２００は、この端末機器により送信された第２のアップリンクデータパケットを受信するＳ２２０をさらに含む。
【００４５】
図２に示すように、この方法２００は、この第２のアップリンクデータパケットのこの第１のマッピング関係が正しいと決定した後、この端末機器に第１のダウンリンクデータパケット及びＲＲＣメッセージを送信するＳ２３０をさらに含み、この第１のダウンリンクデータパケットには第１のＲＱＩが含まれ、この第１のＲＱＩは第１の予定値であり、この第１の予定値は、この端末機器を指示してこの第１のリフレクティブＱｏＳのアクティブ状態を保持するために使用され、このＲＲＣメッセージにはターゲットマッピング規則が含まれ、このＲＲＣメッセージは、この端末機器を指示して第２のマッピング関係のマッピング規則をこのターゲットマッピング規則として決定するために使用される。
【００４６】
したがって、本発明の実施例に係るデータ伝送の方法では、ネットワーク機器により端末機器に送信されるＲＱＩ及びＲＲＣメッセージは、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００４７】
選択的に、この端末機器に第１のダウンリンクデータパケット及びＲＲＣメッセージを送信した後、この方法は、この端末機器により送信された第１のアップリンクデータパケットを受信するステップをさらに含み、この第１のアップリンクデータパケットのこの第１のマッピング関係は、この第１のリフレクティブＱｏＳに基づいてこの端末機器により決定されたものであり、この第１のアップリンクデータパケットのこの第２のマッピング関係は、このターゲット規則に基づいてこの端末機器により決定されたものである。
【００４８】
選択的に、このターゲットマッピング規則は、更新後のこの第２のマッピング関係のマッピング規則と一致する。
【００４９】
本発明の実施例に係る方法２００におけるネットワーク機器は、方法１００におけるネットワーク機器に対応してもよく、この方法２００における端末機器は、方法１００における端末機器に対応してもよく、ここで詳細な説明を省略することを理解されたい。
【００５０】
したがって、本発明の実施例に係るデータ伝送の方法では、ネットワーク機器により端末機器に送信されるＲＱＩ及びＲＲＣメッセージは、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００５１】
本発明の様々な実施例では、上記の各プロセスの番号の大きさは、実行する前後順序を意味するものではなく、各プロセスの実行順序は、その機能及び内部論理により決定されるべきであり、本発明の実施例に係る実施プロセスに対するいかなる限定を構成しないことを理解されたい。
【００５２】
以上、図１乃至図２を参照して、本発明の実施例に係るデータ伝送の方法を詳細に説明しており、以下では、図３乃至図６を参照しながら、本発明の実施例に係る端末機器及びネットワーク機器を説明する。
【００５３】
図３に示すように、本発明の実施例に係る端末機器３００は、受信ユニット３１０及び決定ユニット３２０を備え、選択的に、この端末機器は、送信ユニット３３０をさらに備えてもよい。
【００５４】
具体的に、この受信ユニット３１０は、ネットワーク機器により送信された第１のダウンリンクデータパケットを受信するために使用され、この第１のダウンリンクデータパケットには第１のＲＱＩが含まれ、この第１のＲＱＩは第１の予定値であり、この決定ユニット３２０は、この第１の予定値に基づき、第１のマッピング関係及び第２のマッピング関係のマッピング規則をそのままで保持し、このネットワーク機器により送信されたＲＲＣメッセージをこの受信ユニット３１０を介して受信するために使用され、この第１のマッピング関係は、ＩＰフローからＱｏＳフローへのマッピング関係であり、この第２のマッピング関係は、ＱｏＳフローからＤＲＢへのマッピング関係であり、このＲＲＣメッセージにはターゲットマッピング規則が含まれ、この決定ユニット３２０はまた、このＲＲＣメッセージに基づき、この第２のマッピング関係のマッピング規則をこのターゲットマッピング規則として決定するために使用される。
【００５５】
したがって、本発明の実施例の端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００５６】
選択的に、この受信ユニット３１０は具体的に、このネットワーク機器により送信された第１のＲＱＩを受信する前に、このネットワーク機器により送信された第２のダウンリンクデータパケットを受信するために使用され、この第２のダウンリンクデータパケットには第２のＲＱＩが含まれ、この第２のＲＱＩは第２の予定値であり、この決定ユニット３２０は具体的に、この第２の予定値に基づき、この第１のリフレクティブＱｏＳをアクティブ化してこの第１のマッピング関係を更新し、この第２のリフレクティブＱｏＳをアクティブ化してこの第２のマッピング関係を更新するために使用され、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、この送信ユニット３３０は、このネットワーク機器にこの第２のアップリンクデータパケットを送信するために使用され、この決定ユニット３２０は具体的に、この第１のリフレクティブＱｏＳのアクティブ状態を保持し、及びこの第２のリフレクティブＱｏＳのアクティブ状態を保持するために使用される。
【００５７】
選択的に、この決定ユニット３２０は具体的に、このＲＲＣメッセージに基づき、この第２のマッピング関係のマッピング規則をこのターゲットマッピング規則として決定した後、この第１のリフレクティブＱｏＳに基づき、この第１のダウンリンクデータパケットのこの第１のマッピング関係を第１のアップリンクデータパケットのこの第１のマッピング関係として決定し、このターゲットマッピング規則に従ってこの第１のアップリンクデータパケットのこの第２のマッピング関係を決定するために使用され、この送信ユニット３３０は具体的に、このネットワーク機器にこの第１のアップリンクデータパケットを送信するために使用される。
【００５８】
選択的に、このターゲットマッピング規則は、更新後のこの第２のマッピング関係のマッピング規則と一致する。
【００５９】
本発明の実施例に係る端末機器３００は、本発明の実施例に係る方法１００の実行に対応してもよく、端末機器３００内の各ユニットの上記の及び他の動作及び／又は機能のそれぞれは、図１乃至図２の各方法において端末機器の対応するフローを実現するために使用され、簡潔にするために、ここで詳細な説明を省略することを理解されたい。
【００６０】
したがって、本発明の実施例の端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００６１】
図４に示すように、本発明の実施例に係るネットワーク機器４００は、送信ユニット４１０、受信ユニット４２０及び決定ユニット４３０を備える。
【００６２】
具体的に、送信ユニット４１０は、端末機器に第２のダウンリンクデータパケットを送信するために使用され、この第２のダウンリンクデータパケットには第２のＲＱＩが含まれ、この第２のＲＱＩは第２の予定値であり、この第２の予定値は、この端末機器を指示して第１のリフレクティブＱｏＳをアクティブ化して第１のマッピング関係を更新し、及び第２のリフレクティブＱｏＳをアクティブ化して第２のマッピング関係を更新するために使用され、この第１のマッピング関係は、ＩＰフローからＱｏＳフローへのマッピング関係であり、この第２のマッピング関係は、ＱｏＳフローからＤＲＢへのマッピング関係であり、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、受信ユニット４２０は、この端末機器により送信された第２のアップリンクデータパケットを受信するために使用され、決定ユニット４３０は、この第２のアップリンクデータパケットのこの第１のマッピング関係が正しいと決定した後、この端末機器に第１のダウンリンクデータパケット及びＲＲＣメッセージを送信するために使用され、この第１のダウンリンクデータパケットには第１のＲＱＩが含まれ、この第１のＲＱＩは第１の予定値であり、この第１の予定値は、この端末機器を指示してこの第１のリフレクティブＱｏＳのアクティブ状態を保持するために使用され、このＲＲＣメッセージにはターゲットマッピング規則が含まれ、このＲＲＣメッセージは、この端末機器を指示して第２のマッピング関係のマッピング規則をこのターゲットマッピング規則として決定するために使用される。
【００６３】
したがって、本発明の実施例のネットワーク機器は、端末機器に送信されるＲＱＩ及びＲＲＣメッセージを介して、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００６４】
選択的に、この受信ユニット４２０は具体的に、この送信ユニット４１０によりこの端末機器に第１のダウンリンクデータパケット及びＲＲＣメッセージを送信した後、この端末機器により送信された第１のアップリンクデータパケットを受信するために使用され、この第１のアップリンクデータパケットのこの第１のマッピング関係は、この第１のリフレクティブＱｏＳに基づいてこの端末機器により決定されたものであり、この第１のアップリンクデータパケットのこの第２のマッピング関係は、このターゲット規則に基づいてこの端末機器により決定されたものである。
【００６５】
選択的に、このターゲットマッピング規則は、更新後のこの第２のマッピング関係のマッピング規則と一致する。
【００６６】
本発明の実施例に係るネットワーク機器４００は、本発明の実施例に係る方法２００の実行に対応してもよく、ネットワーク機器４００内の各ユニットの上記の及び他の動作及び／又は機能のそれぞれは、図１乃至図２の各方法においてネットワーク機器の対応するフローを実現するために使用され、簡潔にするために、ここで詳細な説明を省略することを理解されたい。
【００６７】
したがって、本発明の実施例のネットワーク機器は、端末機器に送信されるＲＱＩ及びＲＲＣメッセージを介して、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００６８】
図５は、本発明の実施例に係る端末機器５００の概略ブロック図を示し、図５に示すように、この端末機器５００は、プロセッサー５１０及び送受信機５２０を備え、プロセッサー５１０及び送受信機５２０は互いに接続され、選択的に、この端末機器５００は、メモリ５３０をさらに備え、メモリ５３０はプロセッサー５１０に接続される。ここで、プロセッサー５１０、メモリ５３０及び送受信機５２０の間は、内部接続経路を介して互いに通信し、データ信号を伝達及び／又は制御し、このメモリ５３０は、命令を記憶するために使用されることができ、このプロセッサー５１０は、このメモリ５３０に記憶された命令を実行して、送受信機５２０を制御して情報又は信号を送信するために使用され、この送受信機５２０は、ネットワーク機器により送信された第１のダウンリンクデータパケットを受信するために使用され、この第１のダウンリンクデータパケットには第１のＲＱＩが含まれ、この第１のＲＱＩは第１の予定値であり、このプロセッサー５１０は、この第１の予定値に基づき、第１のマッピング関係及び第２のマッピング関係のマッピング規則をそのままで保持し、このネットワーク機器により送信されたＲＲＣメッセージをこの送受信機５２０を介して受信するために使用され、この第１のマッピング関係は、ＩＰフローからＱｏＳフローへのマッピング関係であり、この第２のマッピング関係は、ＱｏＳフローからＤＲＢへのマッピング関係であり、このＲＲＣメッセージにはターゲットマッピング規則が含まれ、このプロセッサー５１０は、このＲＲＣメッセージに基づき、この第２のマッピング関係のマッピング規則をこのターゲットマッピング規則として決定するために使用される。
【００６９】
したがって、本発明の実施例の端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００７０】
選択的に、この送受信機５２０は、このネットワーク機器により送信された第１のＲＱＩを受信する前に、このネットワーク機器により送信された第２のダウンリンクデータパケットを受信するために使用され、この第２のダウンリンクデータパケットには第２のＲＱＩが含まれ、この第２のＲＱＩは第２の予定値であり、このプロセッサー５１０は、この第２の予定値に基づき、この第１のリフレクティブＱｏＳをアクティブ化してこの第１のマッピング関係を更新し、この第２のリフレクティブＱｏＳをアクティブ化してこの第２のマッピング関係を更新するために使用され、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、この送受信機５２０は、このネットワーク機器にこの第２のアップリンクデータパケットを送信するために使用され、このプロセッサー５１０は、この第１のリフレクティブＱｏＳのアクティブ状態を保持し、及びこの第２のリフレクティブＱｏＳのアクティブ状態を保持するために使用される。
【００７１】
選択的に、このプロセッサー５１０は、このＲＲＣメッセージに基づき、この第２のマッピング関係のマッピング規則をこのターゲットマッピング規則として決定した後、この第１のリフレクティブＱｏＳに基づき、この第１のダウンリンクデータパケットのこの第１のマッピング関係を第１のアップリンクデータパケットのこの第１のマッピング関係として決定し、このターゲットマッピング規則に従ってこの第１のアップリンクデータパケットのこの第２のマッピング関係を決定するために使用され、この送受信機５２０は、このネットワーク機器にこの第１のアップリンクデータパケットを送信するために使用される。
【００７２】
選択的に、このターゲットマッピング規則は、更新後のこの第２のマッピング関係のマッピング規則と一致する。
【００７３】
本発明の実施例に係る端末機器５００は、本発明の実施例における端末機器３００に対応してもよく、本発明の実施例に係る方法１００を実行する際の対応する主体に対応してもよく、端末機器５００内の各ユニットの上記の及び他の動作及び／又は機能のそれぞれは、図１及び図２の各方法において端末機器の対応するフローを実現するために使用され、簡潔にするために、ここで詳細な説明を省略することを理解されたい。
【００７４】
したがって、本発明の実施例の端末機器は、ネットワーク機器により送信されたＲＱＩ及びＲＲＣメッセージを受信することによって、第１のマッピング関係及び第２のマッピング関係がそれぞれｒｅｆｌｅｃｔｉｖｅ  ＱｏＳに従うか否かを共同に決定し、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００７５】
図６は、本発明の実施例に係るネットワーク機器６００の概略ブロック図を示し、図６に示すように、このネットワーク機器６００は、プロセッサー６１０及び送受信機６２０を備え、プロセッサー６１０及び送受信機６２０は互いに接続され、選択的に、このネットワーク機器６００は、メモリ６３０をさらに備え、メモリ６３０は、プロセッサー６１０に接続される。ここで、プロセッサー６１０、メモリ６３０及び送受信機６２０の間は、内部接続経路を介して互いに通信し、データ信号を伝達及び／又は制御し、このメモリ６３０は、命令を記憶するために使用されることができ、このプロセッサー６１０は、このメモリ６３０に記憶された命令を実行して、送受信機６２０を制御して情報又は信号を送信するために使用され、この送受信機６２０は、端末機器に第２のダウンリンクデータパケットを送信するために使用され、この第２のダウンリンクデータパケットには第２のＲＱＩが含まれ、この第２のＲＱＩは第２の予定値であり、この第２の予定値は、この端末機器を指示して第１のリフレクティブＱｏＳをアクティブ化して第１のマッピング関係を更新し、及び第２のリフレクティブＱｏＳをアクティブ化して第２のマッピング関係を更新するために使用され、この第１のマッピング関係は、ＩＰフローからＱｏＳフローへのマッピング関係であり、この第２のマッピング関係は、ＱｏＳフローからＤＲＢへのマッピング関係であり、この第１のマッピング関係を更新することは、この第２のダウンリンクデータパケットのこの第１のマッピング関係を第２のアップリンクデータパケットのこの第１のマッピング関係として決定することを含み、この第２のマッピング関係を更新することは、この第２のダウンリンクデータパケットのこの第２のマッピング関係をこの第２のアップリンクデータパケットのこの第２のマッピング関係として決定することを含み、この送受信機６２０は、この端末機器により送信された第２のアップリンクデータパケットを受信するために使用され、このプロセッサー６１０は、この第２のアップリンクデータパケットのこの第１のマッピング関係が正しいと決定した後、この端末機器に第１のダウンリンクデータパケット及びＲＲＣメッセージを送信するために使用され、この第１のダウンリンクデータパケットには第１のＲＱＩが含まれ、この第１のＲＱＩは第１の予定値であり、この第１の予定値は、この端末機器を指示してこの第１のリフレクティブＱｏＳのアクティブ状態を保持するために使用され、このＲＲＣメッセージにはターゲットマッピング規則が含まれ、このＲＲＣメッセージは、この端末機器を指示して第２のマッピング関係のマッピング規則をこのターゲットマッピング規則として決定するために使用される。
【００７６】
したがって、本発明の実施例のネットワーク機器は、端末機器に送信されるＲＱＩ及びＲＲＣメッセージを介して、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００７７】
選択的に、この送受信機６２０は、この端末機器に第１のダウンリンクデータパケット及びＲＲＣメッセージを送信した後、この端末機器により送信された第１のアップリンクデータパケットを受信するために使用され、この第１のアップリンクデータパケットのこの第１のマッピング関係は、この第１のリフレクティブＱｏＳに基づいてこの端末機器により決定されたものであり、この第１のアップリンクデータパケットのこの第２のマッピング関係は、このターゲット規則に基づいてこの端末機器により決定されたものである。
【００７８】
選択的に、このターゲットマッピング規則は、更新後のこの第２のマッピング関係のマッピング規則と一致する。
【００７９】
本発明の実施例に係るネットワーク機器６００は、本発明の実施例におけるネットワーク機器４００に対応してもよく、本発明の実施例に係る方法２００を実行する際の対応する主体に対応してもよく、ネットワーク機器６００内の各ユニットの上記の及び他の動作及び／又は機能のそれぞれは、図１及び図２の各方法においてネットワーク機器の対応するフローを実現するために使用され、簡潔にするために、ここで詳細な説明を省略することを理解されたい。
【００８０】
したがって、本発明の実施例のネットワーク機器は、端末機器に送信されるＲＱＩ及びＲＲＣメッセージを介して、端末機器の第１のマッピング関係及び第２のマッピング関係がそれぞれｒｅｆｌｅｃｔｉｖｅ  ＱｏＳに従うか否かを指示することができ、これにより、第１のマッピング関係及び第２のマッピング関係のマッピング規則を柔軟に構成し、第１のマッピング関係及び第２のマッピング関係のｒｅｆｌｅｃｔｉｖｅ  ＱｏＳの状態を相対的に独立させる。
【００８１】
なお、本発明の上記の方法の実施例は、プロセッサーに適用されるか、又はプロセッサーにより実現されることができる。プロセッサーは、信号処理能力を備えた集積回路チップである可能性がある。実現時に、上記方法の実施例の各ステップは、プロセッサー内のハードウェアの集積論理回路又はソフトウェアの形の命令により完了されることができる。上記プロセッサーは、汎用プロセッサー、デジタル信号プロセッサー（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールドプログラマブルゲートアレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、個別ゲート又はトランジスタ論理デバイス、個別ハードウェアコンポーネントであってもよい。本発明の実施例において開示された各方法、ステップ及び論理ブロック図を実現又は実行することができる。汎用プロセッサーは、マイクロプロセッサーであってもよく、又はこのプロセッサーは、いずれかの通常のプロセッサー等であってもよい。本発明の実施例に開示された方法のステップに関連して、直接にハードウェア復号化プロセッサーにより実行されて完了し、又は復号化プロセッサーにおけるハードウェア及びソフトウェアモジュールの組み合わせで実行して完了するように具現化されることができる。ソフトウェアモジュールは、ランダムアクセスメモリ、フラッシュメモリ、読み取り専用メモリ、プログラマブル読み取り専用メモリ又は電気的に消去可能なプログラマブルメモリ、レジスタ等の当技術分野で周知の記録媒体内に配置されてもよい。この記録媒体はメモリに配置され、プロセッサーはメモリ内の情報を読み取り、そのハードウェアと組み合わせて上記方法のステップを完了する。
【００８２】
本発明の実施例におけるメモリは、揮発性メモリ又は不揮発性メモリであってもよく、又は、揮発性メモリと不揮発性メモリの両方を含んでもよいことを理解されたい。ここで、不揮発性メモリは、読み取り専用メモリ（ｒｅａｄ−ｏｎｌｙ  ｍｅｍｏｒｙ，ＲＯＭ）、プログラマブル読み取り専用メモリ（ｐｒｏｇｒａｍｍａｂｌｅ  ｒｏｍ，ＰＲＯＭ）、消去可能なプログラマブル読み取り専用メモリ（ｅｒａｓａｂｌｅ  ＰＲＯＭ，ＥＰＲＯＭ）、電気的に消去可能なプログラマブル読み取り専用メモリ（ｅｌｅｃｔｒｉｃａｌｌｙ  ＥＰＲＯＭ，ＥＥＰＲＯＭ）又はフラッシュメモリであってもよい。揮発性メモリは、ランダムアクセスメモリ（ｒａｎｄｏｍ  ａｃｃｅｓｓ  ｍｅｍｏｒｙ，ＲＡＭ）であってもよく、外部キャッシュとして使用される。制限ではなく例示的な説明により、スタティックランダムアクセスメモリ（ｓｔａｔｉｃ  ＲＡＭ，ＳＲＡＭ）、ダイナミックランダムアクセスメモリ（ｄｙｎａｍｉｃ  ＲＡＭ，ＤＲＡＭ）、同期ダイナミックランダムアクセスメモリ（ｓｙｎｃｈｒｏｎｏｕｓ  ＤＲＡＭ，ＳＤＲＡＭ）、ダブルデータレート同期ダイナミックランダムアクセスメモリ（ｄｏｕｂｌｅ  ｄａｔａ  ｒａｔｅ  ＳＤＲＡＭ，ＤＤＲ  ＳＤＲＡＭ）、拡張同期ダイナミックランダムアクセスメモリ（ｅｎｈａｎｃｅｄ  ＳＤＲＡＭ，ＥＳＤＲＡＭ）、同期接続ダイナミックランダムアクセスメモリ（ｓｙｎｃｈ  ｌｉｎｋ  ＤＲＡＭ，ＳＬＤＲＡＭ）及びダイレクトラムバスランダムアクセスメモリ（ｄｉｒｅｃｔ  ｒａｍｂｕｓ  ＲＡＭ，ＤＲ  ＲＡＭ）のような多くの形のＲＡＭが使用されることができる。なお、本明細書で説明されるシステム及び方法のメモリは、これら及び他の任意の適切なタイプのメモリを含むことを意図しているが、それらに限定されない。
【００８３】
当業者であれば、本明細書に開示された実施例に関連して説明された様々な例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術手段の特定のアプリケーション及び設計上の制約条件によって異なる。当業者であれば、特定の用途ごとに不同な方法を使用して記載された機能を実現できるが、このような実現が本発明の範囲を超えると見なすべきではない。
【００８４】
当業者であれば、説明の便宜及び簡潔さのために、上述のシステム、装置及びユニットの具体的な作業プロセスは、前述の方法の実施例に係る対応するプロセスを参照することができ、ここで詳細な説明を省略することを理解することができる。
【００８５】
本発明に提供された幾つかの実施例において、開示されたシステム、装置及び方法は、他の方式で実現されてもよいことを理解されたい。例えば、上述のような装置の実施例は、単なる例にすぎず、例えば、前記ユニットの区分は、単なる論理的な機能による区分であり、実際に実現するときは他の区分方式であってもよく、例えば、複数のユニット又はコンポーネントが組み合わされるか又は別のシステムに集積されてもよく、或いは幾つかの特徴が省略され又は実行されなくてもよい。一方、示された又は解説された相互間の結合又は直接的な結合又は通信接続は、幾つかのインターフェイス、装置又はユニットによる間接的な結合又は通信接続であってもよく、電気的、機械的又は他の形態であってもよい。
【００８６】
前記分離部材として説明されたユニットは、物理的に分離されてもよく、物理的に分離されなくてもよく、ユニットとして示された部材は、物理的なユニットであってもよく、物理的なユニットでなくてもよく、同じところに位置してもよく、複数のネットワークユニット上に分散されてもよい。実際の需要に応じて、一部又は全部のユニットを選択し、本実施例の目的を実現することができる。
【００８７】
なお、本発明の様々な実施例に係る各機能ユニットは、１つの処理ユニットに集積されていてもよく、各ユニットが単独に物理的に存在していてもよく、２つ又は２つ以上のユニットが１つのユニットに集積されていてもよい。
【００８８】
前記機能がソフトウェア機能ユニットの形で実現され、且つ独立した製品として販売又は使用される場合には、１つのコンピュータ読み取り可能な記録媒体に記憶されることができる。このような理解に基づき、本発明の技術手段は本質的に、従来技術に貢献した部分又はこの技術手段の一部がソフトウェアプロダクトの状態で具現化されることができ、このコンピュータソフトウェアプロダクトは、１つの記録媒体に記憶され、１台のコンピュータ機器（パーソナルコンピュータ、サーバ、又はネットワーク機器等であってもよい）に本発明の様々な実施例に記載の方法のステップの全部又は一部を実行させる命令を若干備える。ここで、前述の記録媒体は、ＵＳＢメモリ、モバイルハードディスク、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク、又は光ディスク等のプログラムコードを記憶可能な様々な媒体を含む。
【００８９】
以上は、本発明の具体的な実施形態にすぎず、本発明の範囲はこれらに限定されない。この技術分野の当業者であれば、いずれも本発明に提示された技術範囲内で、変更又は置き換えを行うことを容易に想到し得るものがいずれも本発明の範囲に含まれる。したがって、本発明の範囲は、特許請求の範囲により示される。
【図１】
2021500771.tif 000003
【図２】
2021500771.tif 000004
【図３】
2021500771.tif 000005
【図４】
2021500771.tif 000006
【図５】
2021500771.tif 000007
【図６】
2021500771.tif 000008
【国際調査報告】
2021500771.tif 000009
2021500771.tif 000010
2021500771.tif 000011
2021500771.tif 000012